(57)【要約】【課題】  表示装置の画面表示仕様の変更に対して安価に、容易に対応することができる遊技機用表示制御装置を提供する。【解決手段】  ＲＯＭ３１には、第１の画像の各ドットのＲＧＢ信号を含む第１の形式の第１の画像情報が記憶されている。ＲＯＭ４１には、第２の画像の各ドットのＲＧＢ信号を圧縮した圧縮情報を含む第２の形式の第２の画像情報が記憶されている。画像情報処理回路（ＤＳＰ）４０は、表示制御回路２２から出力された表示制御信号に基づいて、ＲＯＭ４１から第２の画像情報を読み出し、伸張する。そして、伸張した伸張情報に基づいて、第２の画像の各ドットのＲＧＢ信号を含む第１の形式の第３の画像情報を作成し、ＲＡＭ４３に記憶させる。画面情報処理回路（ＶＤＰ）３０は、表示制御回路２２から出力された表示制御信号に基づいて、ＲＯＭ３１から第１の画像情報を、ＲＡＭ４３から第３の画像情報を読み出す。そして、第１の画像情報に対応する第１の画像と第３の画像情報に対応する第２の画像を表示する表示画面の画面情報を作成し、出力する。【選択図】    図１
2006095160.tif 000002
【特許請求の範囲】
【請求項１】
遊技状態に応じて主制御装置から出力されるコマンド信号に基づいて画面情報を表示装置に出力する遊技機用表示制御装置であって、
表示制御回路と、画面情報処理回路と、画像情報処理回路と、第１の記憶回路と、第２の記憶回路と、第３の記憶回路を備え、
前記第１の記憶回路には、第１の画像に対応する第１の形式の第１の画像情報が記憶されており、
前記第２の記憶回路には、第２の画像に対応する第２の形式の第２の画像情報が記憶されており、
前記第３の記憶回路には、第１の形式の第３の画像情報が記憶可能であり、
前記表示制御回路は、前記主制御装置から出力されたコマンド信号に基づいて表示制御信号を出力し、
前記画像情報処理回路は、前記表示制御回路から出力された表示制御信号に基づいて、前記第２の記憶回路に記憶されている第２の画像情報を読み出し、読み出した第２の画像情報に基づいて、第２の画像に対応する第１の形式の第３の画像情報を作成し、前記第３の記憶回路に記憶させ、
前記画面情報処理回路は、前記表示制御回路から出力された表示制御信号に基づいて、前記第１の記憶回路に記憶されている第１の画像情報及び前記第３の記憶回路に記憶されている第３の画像情報の少なくとも一方を読み出し、読み出した第１の画像情報及び第３の少なくとも一方の画像情報に基づいて、当該読み出した第１の画像情報に対応する第１の画像及び当該読み出した第３の画像情報に対応する第２の画像の少なくとも一方を表示する表示画面の画面情報を作成し、出力する、
ことを特徴とする遊技機用表示制御装置。
【請求項２】
請求項１に記載の遊技機用表示制御装置であって、
前記第１の記憶回路には、第１の画像の各ドットのＲＧＢ信号を含む、第１の形式の第１の画像情報が記憶されており、
前記第２の記憶回路には、第２の画像の各ドットのＲＧＢ信号を圧縮した圧縮情報を含む、第２の形式の第２の画像情報が記憶されており、
前記画像情報処理回路は、前記第２の記憶回路から読み出した第２の画像情報を伸張し、伸張した伸張情報に基づいて、当該第２の画像情報に対応する第２の画像の各ドットのＲＧＢ信号を含む、第１の形式の第３の画像情報を作成し、
前記画面情報処理回路は、前記読み出した第１の画像情報に対応する第１の画像及び前記読み出した第３の画像情報に対応する第２の画像の少なくとも一方を表示する表示画面の各ドットのＲＧＢ信号を作成し、画面情報として出力する、
ことを特徴とする遊技機用表示制御装置。
【請求項３】
請求項２に記載の遊技機用表示制御装置であって、
前記第１の記憶回路には、第１の画像の各ドットのＲＧＢ信号と透明度情報を含む、第１の形式の第１の画像情報が記憶されており、
前記第２の記憶回路には、第２の画像の各ドットのＲＧＢ信号と透明度情報を圧縮した圧縮情報を含む、第２の形式の第２の画像情報が記憶されており、
前記画像情報処理回路は、前記第２の記憶回路から読み出した第２の画像情報を伸張し、伸張した伸張情報に基づいて、第２の画像の各ドットのＲＧＢ信号と透明度情報を含む、第１の形式の第３の画像情報を作成し、
前記画面情報処理回路は、前記表示制御信号に基づいて、前記読み出した第１の画像情報に対応する第１の画像と前記読み出した第３の画像情報に対応する第２の画像を、表示画面に対して一方を前方側に他方を後方側に配置し、表示画面の各ドットのＲＧＢ信号を、同じドット位置の、前方側に配置する画像のＲＧＢ信号及び透明度情報と、後方側に配置する画像のＲＧＢ信号に基づいて決定する、
ことを特徴とする遊技機用表示制御装置。
【請求項４】
請求項３に記載の遊技機用表示制御装置であって、
前記第２の記憶回路には、第２の画像の各ドットのＲＧＢ信号を圧縮したＲＧＢ信号圧縮情報と、第２の画像の各ドットの透明度を白黒で表した透明度情報を圧縮した透明度情報圧縮情報を含む、第２の形式の第２の画像情報が記憶されており、
前記画像情報処理回路は、前記第２の記憶回路から読み出した第２の画像情報に含まれているＲＧＢ圧縮情報及び透明度情報圧縮情報を伸張し、伸張した伸張情報に基づいて、第２の画像の各ドットのＲＧＢ信号と透明度情報を含む、第１の形式の第３の画像情報を作成する、
ことを特徴とする遊技機用表示制御装置。
【請求項５】
請求項２に記載の遊技機用表示制御装置であって、
前記第１の記憶回路には、第１の画像の各ドットのＲＧＢ信号と透明度情報を含む、第１の形式の第１の画像情報が記憶されており、
前記第２の記憶回路には、第２の画像の各ドットのＲＧＢ信号を圧縮した圧縮情報を含む、第２の形式の第２の画像情報が記憶されており、
前記画像情報処理回路は、前記第２の記憶回路から読み出した第２の画像情報を伸張し、伸張した伸張情報に基づいて第２の画像の各ドットのＲＧＢ信号を判別し、また、第２の画像の各ドットに対応させて透明度情報を設定し、前記判別した各ドットのＲＧＢ信号と前記設定した各ドットの透明度情報を含む、第１の形式の第３の画像情報を作成し、
前記画面情報処理回路は、前記表示制御信号に基づいて、前記読み出した第１の画像情報に対応する第１の画像と前記読み出した第３の画像情報に対応する第２の画像を、表示画面に対して一方を前方側に他方を後方側に配置し、表示画面の各ドットのＲＧＢ信号を、同じドット位置の、前方側に配置する画像のＲＧＢ信号及び透明度情報と、後方側に配置する画像のＲＧＢ信号に基づいて決定する、
ことを特徴とする遊技機用表示制御装置。
【請求項６】
請求項３〜５のいずれかに記載の遊技機用表示制御装置であって、
前記第１の記憶回路には、第１の画像の各ドットの深さ情報を含む、第１の形式の第１の画像情報が記憶されており、
前記第２の記憶回路には、第２の画像の各ドットの深さ情報を圧縮した圧縮情報を含む、第２の形式の第２の画像情報が記憶されており、
前記画像情報処理回路は、前記第２の記憶回路から読み出した第２の画像情報を伸張し、伸張した伸張情報に基づいて、第２の画像の各ドットの深さ情報を含む、第１の形式の第３の画像情報を作成し、
前記画面情報処理回路は、表示画面の同じドット位置の第１の画像の深さ情報と第２の画像の深さ情報に基づいて、当該ドット位置で前方側に配置する画像と後方側に配置する画像を判別する、
ことを特徴とする遊技機用表示制御装置。
【請求項７】
請求項１〜６のいずれかに記載の遊技機用表示制御装置であって、
前記第３の記憶回路は、第３の画像情報を記憶可能な複数の記憶領域を有し、
前記表示制御回路は、第３の画像情報を記憶させる記憶領域を示す記憶領域識別情報あるいは第３の画像情報が記憶されている記憶領域を示す記憶領域識別情報を含む表示制御信号を出力し、
前記画像情報処理回路は、前記表示制御回路から出力された表示制御信号に含まれている記憶領域識別情報で示される、第３の記憶回路の記憶領域に第３の画像情報を記憶させ、
前記画面情報処理回路は、前記表示制御回路から出力された表示制御信号に含まれている記憶領域識別情報で示される、第３の記憶回路の記憶領域に記憶されている第３の画像情報を読み出す、
ことを特徴とする遊技機用表示制御装置。
【発明の詳細な説明】
【技術分野】
【０００１】
本発明は、遊技機に関し、特に、遊技機に設けられている表示装置を制御する遊技機用表示制御装置に関する。
【背景技術】
【０００２】
パチンコ機等の遊技機には、種々の画像を表示可能な液晶表示装置等の表示装置が設けられている。例えば、パチンコ機では、遊技球が始動入賞口に入賞すると、抽選が行われ、抽選結果や抽選結果に対応する演出が表示装置に表示される。
表示装置と、表示装置を制御する表示制御装置を備える遊技機としては、例えば、特許文献１に記載されている遊技機が知られている。
特許文献１に記載されている遊技機は、基本回路を含むメイン制御回路と、基本回路からの制御信号に従ってＣＲＴ表示器にコマンド信号を出力するＣＲＴ回路を有している。ＣＲＴ表示器は、ＣＲＴコントロール回路と、ＣＲＴユニットを有している。ＣＲＴコントロール回路は、ＣＰＵと、ＶＤＰ(Video  Display  Processor)と、プログラムＲＯＭと、ＶＲＡＭと、キャラクタＲＯＭを有している。ＶＤＰは、ビデオＣＰＵと、カラーパレットと、カラーデータ変換部と、セレクタを有している。キャラクタＲＯＭには、各キャラクタの画像情報が記憶されている。ここで、情報量が少ないキャラクタ画像（例えば、アニメーション画像）に関しては、キャラクタ画像の各ドットのドット情報（ＲＧＢ信号を含む）が画像情報として記憶され、情報量が多い画像（例えば、動画や自然画像等のキャラクタ画像）に関しては、キャラクタ画像の各ドットのドット情報（ＲＧＢ信号を含む）を圧縮した圧縮情報が画像情報として記憶される。
【０００３】
ＣＲＴ表示器は、以下のように動作する。
ＣＰＵは、ＣＲＴ回路から出力されたコマンド信号に基づいて、ビデオＣＰＵに対して画像表示指令信号とマップ情報を出力する。ビデオＣＰＵは、画像表示指令信号とともに入力されたマップ情報をＶＲＡＭに格納する。
次に、ビデオＣＰＵは、キャラクタＲＯＭに格納されている、マップ情報に含まれている各キャラクタ画像に対応する画像情報を入力する。
この時、入力された画像情報が、圧縮されていないドット情報である場合には、入力された画像情報、すなわち、キャラクタ画像の各ドットのドット情報をカラーパレットに出力する。カラーパレットは、入力された、キャラク画像の各ドットのドット情報に基づいて、表示画面の各ドットのＲＧＢ信号を出力する。
一方、入力された画像情報が、ドット情報を圧縮した圧縮情報である場合には、入力された画像情報をカラーデータ変換部に出力する。カラーデータ変換部は、入力された画像情報を伸張し、伸張した伸張情報に基づいて、キャラクタ画像の各ドットのドット情報を判別する。そして、判別した、キャラクタ画像の各ドットのドット情報に基づいて、表示画面の各ドットのＲＧＢ信号を出力する。
セレクタは、カラーパレットからのＲＧＢ信号あるいはカラーデータ変換部からのＲＧＢ信号を選択あるいは合成し、リニア形式のＲＧＢ信号を生成してＣＲＴユニットに出力する。
【特許文献１】特開平７−３２３１３２号公報
【発明の開示】
【発明が解決しようとする課題】
【０００４】
特許文献１に記載の遊技機では、圧縮されていないドット情報及びドット情報を圧縮した圧縮情報のいずれにも対応できるように、圧縮されていないドット情報に基づいて表示画面の各ドットのＲＧＢ信号を生成するカラーパレットと、圧縮情報を伸張し、伸張した伸張情報に基づいて表示画面の各ドットのＲＧＢ信号を生成するカラーデータ変換部を設けるとともに、圧縮されていないドット情報及びドット情報を圧縮した圧縮情報を処理可能なＶＤＰを用いている。
しかしながら、遊技機では、機種によって表示装置の画面表示仕様が異なる。例えば、圧縮されていないドット情報（アニメーション画像等に対応する画像情報）のみを使用し、ドット情報を圧縮した圧縮情報（動画等に対応する画像情報）を使用しない機種がある。このような圧縮情報を使用しない機種に対しても、カラーパレット、カラーデータ変換部、圧縮されていないドット情報及びドット情報を圧縮した圧縮情報を処理可能なＶＤＰを有する表示制御装置を設けるのは、無駄であり、コストが高くなる。
一方、圧縮されていないドット情報のみに対応可能な表示制御装置と、圧縮されていないドット情報及びドット情報を圧縮した圧縮情報のいずれにも対応可能な（各画面表示仕様に対応させた）表示制御装置を作成し、機種に応じて使用する表示制御装置を選択する方法が考えられる。
しかしながら、この方法は、各画面表示仕様に対応した複数の表示制御装置を作成する必要があり、コスト低減には限度がある。
そこで、本発明が解決しようとする課題は、表示装置の画面表示仕様の変更に対して安価に、容易に対応することができる遊技機及び遊技機用表示制御装置を提供することである。
【課題を解決するための手段】
【０００５】
前記課題を解決する本発明の第１発明は、請求項１に記載の構成を備える遊技機用表示制御装置である。
本発明の遊技機用表示制御装置は、表示制御回路、画面情報処理回路、画像情報処理回路、第１の記憶回路、第２の記憶回路、第３の記憶回路を備えている。
第１の記憶回路及び第２の記憶回路には、それぞれ、第１の画像に対応する第１の形式の第１の画像情報及び第２の画像に対応する第２の形式の第２の画像情報が記憶されている。また、第３の記憶回路には、第１の形式の第３の画像情報が記憶可能である。
表示制御回路は、主制御装置から出力されたコマンド信号に基づいて表示制御信号を出力する。
画像情報処理回路は、表示制御信号で指示された第２の画像情報を第２の記憶回路から読み出し、読み出した第２の画像情報に基づいて、第２の画像に対応する第１の形式の第３の画像情報を作成し、第３の記憶回路に記憶させる。
画面情報処理回路は、表示制御信号で指示された第１の画像情報及び第３の画像情報の少なくとも一方を第１の記憶回路及び第３の記憶回路から読み出し、読み出した第１の画像情報に対応する第１の画像及び第３の画像情報に対応する第２の画像の少なくとも一方を表示する表示画面の画面情報を作成し、出力する。
主制御装置から出力されるコマンド信号としては、抽選結果に対応した図柄や変動パターンを指示するコマンド信号や抽選結果を示すコマンド信号が用いられる。
典型的には、第１及び第２の記憶回路としてＲＯＭが用いられ、第３の記憶回路としてＲＡＭが用いられる。
「第１の形式の画像情報」と「第２の形式の画像情報」は、それぞれ異なる形式の画像情報を意味する。典型的には、第１の形式の画像情報として、画像の各ドットのＲＧＢ信号を含む画像情報が用いられ、第２の形式の画像情報として、画像の各ドットのＲＧＢ信号を圧縮した圧縮情報を有する画像情報が用いられる。本発明では、第３の記憶回路には、第２の記憶回路から読み出した第２の形式の画像情報を第１の形式の画像情報に変換した第３の画像情報が記憶される。すなわち、第２の記憶回路と第３の記憶回路には、同じ画像の画像情報が異なる形式で記憶される。
画面情報処理回路としては、第１の形式の画像情報を処理可能な処理回路が用いられ、画像情報処理回路としては、第２の形式の画像情報を処理可能な処理回路が用いられる。
表示制御回路から出力される表示制御信号は、コマンド信号で指示される図柄や変動パターンを表示するために第１〜第３の記憶回路から読み出す第１〜第３の画像情報、各画像のサイズや位置、第１の画像と第２の画像の重ね合わせ態様（前後の位置関係、色の配合）等を指示することができる。
表示制御信号としては、画像情報処理回路及び画面情報処理回路に共通の表示制御信号を用いてもよいし、画像情報処理回路用の第１の表示制御信号と画面情報処理回路用の第２の表示制御信号を用いてもよい。
第３の画像情報を第３の記憶回路に記憶させる態様としては、第３の記憶回路の特定の記憶領域に第３の画像情報を順次記憶させる態様や、第３の記憶回路の複数の記憶領域に第３の画像情報を順次記憶させる態様を用いることができる。
第１の画像及び第２の画像の少なくとも一方を表示画面に表示する態様としては、第１の画像のみあるいは第２の画像のみを表示画面に表示する態様、第１の画像と第２の画像を表示画面の異なる位置に表示する態様、第１の画像と第２の画像を重ね合わせた画像を表示画面に表示する態様等を用いることができる。各表示態様は、遊技機の遊技状態に応じて選択することができる。例えば、抽選結果が当たりであることを表示する場合に、第２の画像を表示する態様や第１の画像と第２の画像を重ね合わせた画像を表示する態様を選択することができる。いずれの態様で表示するかは、例えば、表示制御回路から出力される表示制御信号によって指示することができる。
画面情報処理回路から表示画面の画面情報を出力する方法としては、典型的には、表示画面の各ドットのＲＧＢ信号をフレームバッファに書き込み、フレームバッファに書き込まれた表示画面の各ドットのＲＧＢ信号を出力する方法が用いられる。
また、本発明の第２発明は、請求項２に記載の構成を備える遊技機用表示制御装置である。
本発明では、第１の記憶回路には、第１の画像の各ドットのＲＧＢ信号を含む第１の形式の第１の画像情報が記憶され、第２の記憶回路には、第２の画像の各ドットのＲＧＢ信号を圧縮した圧縮情報を含む第２の形式の第３の画像情報が記憶されている。
画像情報処理回路は、第２の記憶回路から読み出した第２の画像情報を伸張し、伸張した伸張情報に基づいて、第２の画像情報に対応する第２の画像の各ドットのＲＧＢ信号を含む第１の形式の第３の画像情報を作成する。
画面情報処理回路は、第１の画像と第２の画像の少なくとも一方を表示する表示画面の各ドットのＲＧＢ信号を作成して出力する。
本明細書では、「ドット」は、画像や表示画面を縦方向及び横方向に区切ったピクセル（画素）を意味するものとして用いている。
画像情報処理回路が作成する「第２の画像の各ドットのドット情報により構成される第３の画像情報」は、画面情報処理回路が処理可能な第１の形式の画像情報である。このため、画像情報処理回路は、第２の画像情報を伸張した伸張情報に基づいて判別した第２の画像の各ドットの画像情報が第１の形式の画像情報でない場合には、第１の形式の画像情報に変換して第３の画像情報を作成する。画面情報処理回路が処理可能な画像情報は、例えば、ドットの数やドット情報のビット数等によって決定される。
また、本発明の第３発明は、請求項３に記載の構成を備える遊技機用表示制御装置である。
本発明では、第１の記憶回路に、第１の画像の各ドットのＲＧＢ信号と透明度情報を含む第１の形式の第１の画像情報が記憶され、第２の記憶回路に、第２の画像の各ドットのＲＧＢ信号と透明度情報を圧縮した圧縮情報を含む第３の画像情報が記憶されている。
画像情報処理回路は、第２の画像情報を伸張した伸張情報に基づいて、第２の画像の各ドットのＲＧＢ信号と透明度情報を含む第１の形式の第３の画像情報を作成する。
画面情報処理回路は、表示制御信号に基づいて、第１の画像情報に対応する第１の画像と第３の画像情報に対応する第２の画像を、一方を前方側に他方を後方側に配置し、表示画面の各ドットのＲＧＢ信号を、表示画面の同じドット位置の、前方側に配置する画像のＲＧＢ信号及び透明度情報と、後方側に配置する画像のＲＧＢ信号に基づいて決定する。
「透明度情報」は、ドット（ピクセル）の透明度を示す情報であり、例えば、［完全不透明状態］（当該ドットのＲＧＢ信号に対応する色のみを表示する）〜［完全透明状態］（当該ドットの後側に配置されているドットのＲＧＢ信号に対応する色のみを表示する）の範囲で複数段に調整可能である。「完全不透明状態」と「完全透明状態」の間では、当該ドットのＲＧＢ信号に対応する色と後側に配置されるドットのＲＧＢ信号に対応する色を混合した色が表示される。したがって、表示画面の各ドットのＲＧＢ信号は、前方側に配置される画像の各ドットの透明度情報に基づいて、前方側に配置される画像の各ドットのＲＧＢ信号、後方側に配置される画像の各ドットのＲＧＢ信号、あるいは双方の色を混合した色に対応するＲＧＢ信号に決定される。
表示画面の同じドット位置の第１の画像のドットや第２の画像のドットは、第１の画像や第２の画像のサイズや位置等によって決定される。
第１の画像と第２の画像の前後方向の位置関係（前方側に配置する画像と後方側に配置する画像）は、例えば、表示制御信号によって指示される。
本発明では、第３の画像情報に含まれる第２の画像の各ドットのＲＧＢ信号及び透明度情報を、第２の画像情報に含まれている第２の画像の各ドットのＲＧＢ信号及び透明度情報に基づいて設定している。
第２の画像の各ドットのＲＧＢ信号及と透明度情報を圧縮した圧縮情報としては、ＲＧＢ信号と透明度情報を含む情報を圧縮した圧縮情報を用いることもできし、ＲＧＢ信号を圧縮したＲＧＢ信号圧縮情報と透明度情報を圧縮した透明度情報圧縮情報を用いることができる。
また、本発明の第４発明は、請求項４に記載の構成を備える遊技機用表示制御装置である。
本発明では、第２の記憶回路には、第２の画像の各ドットのＲＧＢ信号を圧縮したＲＧＢ信号圧縮情報と各ドットの透明度を白黒で表した透明度情報を圧縮した透明度情報圧縮情報を含む第２の形式の第２の画像情報が記憶されている。
画像情報処理回路は、第２の記憶回路から読み出した第２の画像情報に含まれているＲＧＢ圧縮情報及び透明度情報圧縮情報を伸張し、伸張した伸張情報に基づいて第１の形式の第３の画像情報を作成する。
第２の画像の各ドットの透明度を白黒で表す方法としては、例えば、「白色」の透明度情報により［完全透明状態］を表し、「黒色」の透明度情報により［完全不透明状態］を表し、「白色」と「黒色」を所定の混合比で混合した「灰色」により、［完全透明状態］〜［完全不透明状態］の範囲内の、混合比に応じた透明度状態を表す方法を用いることができる。
また、本発明の第５発明は、請求項５に記載の構成を備える遊技機用表示制御装置である。
本発明では、第１の記憶回路には、第１の画像の各ドットのＲＧＢ信号と透明度情報を含む第１の形式の第１の画像情報が記憶されており、第２の記憶回路には、第２の画像の各ドットのＲＧＢ信号を圧縮した圧縮情報を含む第２の形式の第２の画像情報が記憶されている。
画像情報処理回路は、第２の画像情報を伸張した伸張情報に基づいて第２の画像の各ドットのＲＧＢ信号を判別し、また、第２の画像の各ドットに対応させて透明度情報を設定し、判別したＲＧＢ信号と設定した透明度情報を含む第１の形式の第３の画像情報を作成する。
画面情報処理回路は、第１の画像情報に対応する第１の画像と第３の画像情報に対応する第２の画像を、一方を前方側に他方を後方側に配置し、表示画面の各ドットのＲＧＢ信号を、表示画面の同じドット位置の、前方側に配置する画像のＲＧＢ信号及び透明度情報と、後方側に配置する画像のＲＧＢ信号に基づいて決定する。
第２の画像の各ドットに対応させて透明度情報を設定する方法としては、第２の画像の各ドットが透明度設定条件を満足しているか否かの判別結果に基づいて透明度情報を設定する方法を用いることができる。「透明度設定条件」としては、例えば、各ドットのＲＧＢ信号が設定されたＲＧＢ信号と一致しているか否かという条件や、各ドットが設定された位置あるいは領域に配置されるか否かという条件等を用いることができる。
第１の画像と第２の画像の前後方向の位置関係（前方側に配置する画像と後方側に配置する画像）は、例えば、表示制御信号によって指示される。
また、本発明の第６発明は、請求項６に記載の構成を備える遊技機用表示制御装置である。
本発明では、第１の記憶回路には、第１の画像の各ドットの深さ情報を含む第１の形式の第１の画像情報が記憶されており、第２の記憶回路には、第２の画像の各ドットの深さ情報を圧縮した圧縮情報を含む第２の形式の第２の画像情報が記憶されている。
画像情報処理回路は、第２の記憶回路から読み出した第２の画像情報を伸張し、伸張した伸張情報に基づいて、第２の画像の各ドットの深さ情報を含む第１の形式の第３の画像情報を作成する。
前記画面情報処理回路は、表示画面の同じドット位置の第１の画像の深さ情報と第２の画像の深さ情報に基づいて、当該ドット位置で前方側に配置する画像と後方側に配置する画像を判別する。
「深さ情報」は、ドットの、画面の前後方向に対する位置を示し、例えば、［最後部の位置］（画面の正面から見て最も奥の位置）〜［最前部の位置］（画面の正面から見て最も手前の位置）の範囲で複数段に調整可能である。したがって、第１の画像の各ドットの深さ情報と第２の画像の各ドットの深さ情報を比較することによって、第１の表示画面の画像と第２の画像の前後方向の位置関係を判別することができる。
また、本発明の第７発明は、請求項７に記載の構成を備える遊技機用表示制御装置である。
本発明では、第３の記憶回路は、第３の画像情報を記憶可能な複数の記憶領域を有している。
そして、表示制御回路は、第３の画像情報を記憶させる記憶領域あるいは第３の画像情報が記憶されている記憶領域を示す記憶領域識別情報を含む表示制御信号を出力する。
画像情報処理回路は、表示制御信号に含まれている記憶領域識別情報で示される記憶領域に第３の画像情報を記憶させ、画面情報処理回路は、表示制御信号に含まれている記憶領域識別情報で示される記憶領域に記憶されている第３の画像情報を読み出す。
この場合、画面情報処理回路がアクセスしている記憶領域と異なる記憶領域に画像情報処理回路がアクセスするように構成するのが好ましい。すなわち、任意の記憶領域への第３の画像情報の記憶処理（書込処理）と他の記憶領域に記憶されている第３の画像情報の読出処理を同時に行うのが好ましい。
記憶領域の記憶容量や数は、画像情報処理回路が第２の画像情報に基づいて第３の画像情報を作成するのに要する処理時間や、画面情報処理回路が第１の画像情報と第３の画像情報に基づいて画面情報を作成するのに要する処理時間等によって決定される。
【発明の効果】
【０００６】
請求項１に記載の遊技機用表示制御装置では、画面情報処理回路と第１の記憶回路に、画像情報処理回路と第２及び第３の記憶回路を追加することによって、第１の形式の第１の画像情報に対応する第１の画像を表示する画面表示仕様を、第１の形式の第１の画像情報に対応する第１の画像及び第２の形式の第２の画像情報に対応する第２の画像を表示可能な画面表示仕様に、容易に、安価に変更することができる。また、画面情報処理回路を有する既存の表示制御装置の汎用性が向上する。
請求項２に記載の遊技機用表示制御装置を用いれば、情報量が少ない第１の画像情報に対応する第１の画像を表示する画面表示仕様を、情報量が少ない第１の画像情報に対応する第１の画像と情報量が多い第２の画像情報に対応する第２の画像を表示可能な画面表示仕様に、容易に、安価に変更することができる。このため、遊技機の画面表示仕様を、多種多様な演出表示が可能な画面表示仕様に容易に、安価に変更することができる。
請求項３に記載の遊技機用表示制御装置を用いれば、第１の画像と第２の画像を重ね合わせた画像を表示する表示画面の画面情報を容易に得ることができる。
請求項４に記載の遊技機用表示制御装置を用いれば、第２の画像の各ドットのＲＧＢ信号を圧縮したＲＧＢ信号圧縮情報と透明度情報を圧縮した透明度情報圧縮情報を含む第２の画像情報を用いているため、画像情報処理回路での第３の画像情報の作成処理が容易である。
請求項５に記載の遊技機用表示制御装置を用いれば、画面情報処理回路の処理負担を増加させることなく、第１の画像と第２の画像の重ね合わせ態様を変更することができる。
請求項６に記載の遊技機用表示制御装置を用いれば、画面情報処理回路は、第１の画像と第２の画像の一方を前方側に他方を後方側に容易に配置することができる。
請求項７に記載の遊技機用表示制御装置を用いれば、第３の記憶回路への第３の画像情報の書込処理と、第３の記憶回路に記憶されている第３の画像情報の読出処理を同時に実行することができるため、画面情報を高速で出力することができる。
【発明を実施するための最良の形態】
【０００７】
以下に、本発明の実施の形態を、図面を参照して説明する。
本発明の遊技機用表示制御装置（以下、単に「表示制御装置」という）の一実施の形態を備えたパチンコ機の概略構成図を図1に示す。本実施の形態の表示制御装置は、アニメーション画像等のデータ量の少ない画像と、動画等のデータ量の多い画像を重ね合わせた画像を表示装置に表示可能である。
図１に示すパチンコ機は、主制御装置１０、表示制御装置２０、液晶表示装置５０を備えている。なお、パチンコ機には、これ以外に、賞球装置、ランプ、スピーカ、大入賞口を開閉する大入賞口開閉部材等の被制御装置と、賞球装置を制御する賞球制御装置、ランプを制御するランプ制御装置、スピーカを制御する音制御装置等の制御装置を備えている。
主制御装置１０は、主制御回路、制御プログラムや抽選用の種々の乱数発生プログラム等を記憶する記憶回路を有している。
【０００８】
主制御装置１０に設けられている主制御回路は、入力信号と記憶回路に記憶されている制御プログラムや種々の乱数発生プログラムに基づいて種々の制御を実行する。
例えば、遊技球が入賞口に入賞して入賞信号が入力されると、入賞口に対応した賞球数を示す主コマンド信号（賞球コマンド信号）を賞球制御装置に出力する。賞球制御装置は、賞球装置を制御して、主コマンド信号で示された賞球数の賞球（遊技球）を払い出す。
あるいは、遊技球が始動入賞口に入賞して始動信号が入力されると、大当たり判定用の乱数を読み取って（抽選を行って）、大当たりであるか否かを判定する。そして、大当たりである場合には、当たり図柄判定用の乱数及び当たり変動パターン用の乱数を読み取り、当たり図柄及び当たり変動パターンを示す主コマンド信号（表示コマンド信号）を表示制御装置２０に出力する。一方、はずれである場合には、はずれ図柄判定用の乱数及びはずれ変動パターン用の乱数を読み取り、はずれ図柄及びはずれ変動パターンを示す主コマンド信号（表示コマンド信号）を表示制御装置２０に出力する。
表示制御装置２０の表示制御回路２２は、主制御回路から出力された主コマンド信号で示される図柄（当たり図柄あるいははずれ図柄）及び変動パターン（当たり変動パターンあるいははずれ変動パターン）を液晶表示装置５０に表示させる。この時、液晶表示装置５０の画面には、記憶回路から読み出した画像情報に対応する画像が表示される。
なお、表示装置としては、液晶表示装置以外の種々の表示装置を用いることができる。
また、主制御装置１０と表示制御装置２０の間に副制御回路を有する副制御装置が設けられることもある。この場合、主制御回路は、抽選の結果を示す主コマンド信号を出力する。そして、副制御回路は、主制御回路から出力された主コマンド信号に基づいて、図柄及び変動パターン（主コマンド信号が抽選結果が当たりであることを示している場合には、当たり図柄及び当たり変動パターン、主コマンド信号が抽選結果がはずれであることを示している場合には、はずれ図柄及びはずれ変動パターン）を決定し、決定した図柄及び変動パターンを示す副コマンド信号を液晶表示装置５０に出力する。
【０００９】
図１に示す表示制御装置２０は、入力回路（入力手段）２１、表示制御回路（表示制御手段）２２、画面情報処理回路（画面情報処理手段）３０、画像情報処理回路（画像情報処理手段）４０、記憶回路(記憶手段)２３、３１、４１、記憶回路（記憶手段）２４、４２、４３、出力回路（出力手段）２５等を有している。
本実施の形態では、画面情報処理回路３０として、ＶＤＰ(Video  Display  Processor)を用いている（以下、「ＶＤＰ３０」という）。また、画像情報処理回路４０として、ＤＳＰ(Digital  Signal  Processor)を用いている（以下、「ＤＳＰ４０」という）。また、記憶回路２３、３１、４１としてＲＯＭを用いている（以下、「ＲＯＭ２３、３１、４１」という）。また、記憶回路２４、４２、４３として、ＲＡＭを用いている（以下、「ＲＡＭ２４、４２、４３」という）。
【００１０】
ＲＯＭ２３には、表示制御回路２２の制御プログラム等が記憶されている。ＲＡＭ２４には、表示制御回路３１の作業情報等が記憶される。
ＲＯＭ３１には、第１の画像に対応する第１の画像情報が記憶されている。本実施の形態では、第１の画像情報として、情報量が少ない画像（図柄画像やアニメーション画像等）の各ドット（ピクセル）の色を示すＲＧＢ信号、透明度を示す透明度情報（α値）、画面の前後方向に対する位置を示す深さ情報（Ｚ値）を含むドット情報により構成される画像情報が用いられている。また、本実施の形態では、第１の画像情報として、ＶＤＰ３０が処理可能な第１の形式（ドット数やドット情報のビット数）を有する画像情報が用いられている。
ＲＯＭ４１には、第２の画像に対応する第２の画像情報が記憶されている。本実施の形態では、第２の画像情報として、情報量が多い画像（動画画像や風景画像等）の各ドット（ピクセル）のＲＧＢ信号、透明度情報（α値）、深さ情報（Ｚ値）を含むドット情報を所定の圧縮方式で圧縮された圧縮情報により構成される画像情報が用いられている。圧縮方式としては、ＭＰＥＧ４等の公知の種々の圧縮方式を用いることができる。また、本実施の形態では、第２の画像情報として、ＶＤＰ３０が処理不能な第２の形式（ドット数やドット情報のビット数）を有する画像情報が用いられている。
【００１１】
ＲＡＭ４２には、ＤＳＰ４０の作業情報等が記憶される。
ＲＡＭ４３には、ＤＳＰ４０が、ＲＯＭ４１に記憶されている第２の画像に対応する第２の画像情報に基づいて作成した、第２の画像に対応する第３の画像情報が記憶可能である。本実施の形態では、第３の画像情報として、第２の画像の各ドットのＲＧＢ信号、透明度情報（α値）、深さ情報（Ｚ値）を含むドット情報により構成される画像情報が用いられている。また、本実施の形態では、第３の画像情報として、ＶＤＰ３０が処理可能な第１の形式（ドット数やドット情報のビット数）を有する画像情報が用いられている。すなわち、ＲＡＭ４３に記憶される第３の画像情報は、ＲＯＭ４１から読み出された第２の画像情報と形式は異なるが、同じ画像に対応する画像情報である。
なお、ＲＡＭ４３は、第３の画像情報を記憶可能な複数の記憶領域を有している。本実施の形態では、２つの記憶領域（Ａバンク４３ａ及びＢバンク４３ｂ）を有している。記憶領域（Ａバンク４３ａ及びＢバンク４３ｂ）の記憶容量やアドレス（番地）は、第３の画像情報のデータ量、ＶＤＰ３０やＤＳＰ４０の処理速度等に応じて適宜設定される。
以下では、ＲＯＭ３１を「第１の記憶回路」、ＲＯＭ４１を「第２の記憶回路」、ＲＡＭ４３を「第３の記憶回路」という。
【００１２】
表示制御回路２２は、主制御回路から出力された主コマンド信号が入力回路２１を介して入力され、入力された主コマンド信号で示される図柄及び変動パターンを液晶表示装置５０に表示させるための第１の表示制御信号及び第２の表示制御信号をＶＤＰ３０及びＤＳＰ４０に出力する。
第１の表示制御信号には、例えば、ＲＯＭ３１に記憶されている第１の画像情報を指示する第１画像指示情報、第１の画像のサイズを示す第１画像サイズ情報、第１の画像の表示画面上の位置を示す第１画像位置情報、ＲＡＭ４３に記憶されている第３の画像情報の記憶領域を指示する読出領域指示情報、第２の画像のサイズを示す第２画像サイズ情報、第２の画像の表示画面上の位置を示す第２画像位置情報等が含まれている。
第２の表示制御信号には、ＲＯＭ４１に記憶されている第２の画像情報を指示する第２画像指示情報、第３の画像情報を構成する各ドット情報の透明度情報や深さ情報を設定するための透明度指示情報や深さ指示情報、第３の画像情報を書き込む（記憶させる）ＲＡＭ４３の記憶領域を指示する書込領域指示情報等が含まれている。透明度指示情報や深さ指示情報は、第１の画像情報に対応する第１の画像と第３の画像情報に対応する第２の画像の重ね合わせ態様に応じて設定される。
なお、第１画像指示情報としては、第１の画像や第１の画像情報の記憶位置（アドレス情報）を指示する情報を用いることができる。また、第２画像指示情報としては、第２の画像や第２の画像情報の記憶位置（アドレス情報）を指示する情報を用いることができる。また、書込領域指示情報や読出領域指示情報としては、第３の画像情報や第３の画像情報の記憶位置（アドレス情報）を指示する情報を用いることができる。
【００１３】
また、本実施の形態では、ＲＡＭ４３は、ＤＳＰ４０及びＶＤＰ３０で共有している。ここで、ＤＳＰ４０及びＶＤＰ３０が同時にＲＡＭ４３の同じアドレスにアクセスした場合、一方のみがアクセスすることができ、他方は待機しなければならないため、画面情報を作成する処理速度が低下する。
このため、本実施の形態では、ＲＡＭ４３に複数の記憶領域（Ａバンク４３ａ及びＢバンク４３ｂ）を設けている。そして、表示制御回路２２は、ＤＳＰ４０とＶＤＰ３０がＲＡＭ４３の同じアドレスに同時にアクセスしないように書込領域指示情報と読出領域指示情報を出力している。すなわち、ＲＡＭ４３の一方の記憶領域（例えば、Ａバンク４３ａ）を指示する読出領域指示情報をＶＤＰ３０に出力している場合には、ＲＡＭ４３の記憶領域（例えば、Ｂバンク４３ｂ）を指示する書込領域指示情報をＤＳＡＰ４０に出力する。これにより、ＲＡＭ４３の同じアドレスにＶＤＰ３０とＤＳＰ４０が同時にアクセスすることが防止でき、画面情報を作成する処理速度を高めることができる。
【００１４】
ＤＳＰ４０は、表示制御回路２２から出力された第２の表示制御信号に含まれている第２画像指示情報で指示される第２の画像情報をＲＯＭ４１から読み出し、読み出した第２の画像情報をデコード（伸張）して伸張情報を得る。そして、伸張情報に基づいて、ＲＯＭ４１から読み出した第２の画像情報に対応する第２の画像の各ドットのＲＧＢ信号、透明度情報、深さ情報を判別する。次に、判別した第２の画像の各ドットのＲＧＢ信号、透明度情報、深さ情報を用いて、第２の画像に対応する第１の形式の第３の画像情報を作成し、表示制御回路２２から出力された第２の表示制御信号で指示される第３のＲＡＭ４３の記憶領域（Ａバンク４３ａあるいはＢバンク４３ｂ）に記憶させる（書き込む）。第１の形式を有する第３の画像情報は、ＶＤＰ３０によって処理可能である。これにより、ＤＳＰ４０は、ＲＯＭ４１に記憶されている第２の画像に対応する第１の形式の第２の画像情報を、ＶＤＰ３０が処理可能な、当該第２の画像に対応する第２の形式の第３の画像情報に変換してＲＡＭ４３に記憶させる。
この時、第３の画像情報を構成する各ドット情報のＲＧＢ信号は、伸張情報に基づいて判別した第２の画像の各ドットのＲＧＢ信号に基づいて設定する。一方、第３の画像情報を構成する各ドット情報の透明度情報や深さ情報は、第２の表示制御信号に含まれている透明度指示情報や深さ指示情報で示される透明度設定条件や深さ設定条件を各ドットが満造しているか否かに基づいて設定する。あるいは、伸張情報に基づいて判別した第２の画像の各ドットの透明度情報や深さ情報を用いる。
なお、ＲＯＭ４１から読み出した第２の画像情報を伸張した伸張情報に基づいて判別した第２の画像の各ドットのドット情報がＶＤＰ３０の処理可能な第１の形式を有している場合には、伸張情報に基づいて判別した第２の画像の各ドットのＲＧＢ信号、透明度情報、深さ情報をそのまま用いることもできる。
【００１５】
本実施の形態では、ＤＳＰ４０は、読出手段４０ａ、デコード手段（伸張手段）４０ｂ、エンコード手段４０ｃ、書込手段４０ｄを有している。各手段は、ソフトウェアで構成することもできるし、ハードウェアで構成することもできる。
読出手段４０ａは、表示制御回路２２から出力された第１の表示制御信号に含まれている第２画像指示情報で指示される第２の画像情報を読み出す。
デコード手段４０ｂは、読出手段４０ａで読み出した第２の画像情報をデコード（伸張）し、伸張情報に基づいて第２の画像の各ドットのドット情報（ＲＧＢ信号、透明度情報、深さ情報）を判別する。
エンコード手段４０ｃは、デコード手段４０ｂで判別した第２の画像の各ドットのドット情報に基づいて、ＶＤＰ３０で処理可能な第１の形式を有する、第２の画像に対応する第３の画像情報を作成する。すなわち、第２の画像の各ドットのＲＧＢ信号、透明度情報（α値）、深さ情報（Ｚ値）を含むドット情報により構成される第１の形式の第３の画像情報を作成する。
この時、エンコード手段４０ｃは、第３の画像情報を構成する各ドット情報のＲＧＢ信号を、伸張情報に基づいて判別した第２の画像の各ドットのＲＧＢ信号に基づいて設定する。また、第３の画像情報を構成する各ドット情報の透明度情報や深さ情報は、第２の表示制御信号に含まれている透明度指示情報や深さ指示情報で示される透明度設定条件や深さ設定条件に基づいて設定する。あるいは、伸張情報に基づいて判別した透明度情報や深さ情報に基づいて設定する。
書込手段４０ｄは、エンコード手段４０ｃで作成した第１の形式の第３の画像情報を、表示制御回路２２から出力された第２の表示制御信号に含まれている書込領域指示情報で指示されるＲＡＭ４３の記憶領域（Ａバンク４３ａあるいはＢバンク４３ｂ）に書き込む（記憶させる）。
【００１６】
第３の画像情報を構成する各ドット情報の透明度情報や深さ情報を、第２の表示制御信号に含まれている透明度指示情報や深さ指示情報で示される透明度設定条件や深さ設定条件に基づいて設定する方法としては、以下の方法を用いることができる。
液晶表示装置５０の表示画面に表示する第１の画像や第２の画像、第１の画像と第２の画像の重ね合わせ態様は、図柄や変動パターンを示す主コマンド信号に応じて予め設定されている。
したがって、表示制御装回路２２は、入力回路２１を介して主コマンド信号が入力された時、入力された主コマンド信号に基づいて、第１の画像情報を指示する第１画像指示情報、第２の画像情報を指示する第２画像指示情報を出力する。
また、ＶＤＰ３０が、指示した第１の画像と第２の画像を主コマンド信号に対応した重ね合わせ態様で重ね合わせ処理を行えるように、第２の画像に対応する第３の画像情報を構成する各ドット情報の透明度情報や深さ情報を設定するための透明度指示情報や深さ指示情報をＤＳＰ４０に出力する。
【００１７】
例えば、前記指示した第２の画像を前記指示した第１の画像の前方側に配置する重ね合わせ態様を実行する場合には、第２の画像に対応する第３の画像情報を構成する各ドット情報の深さ情報を、当該第３の画像情報を構成する各ドット情報の深さ情報で示される前後方向の位置が、第１の画像に対応する第１の画像情報を構成する各ドット情報の深さ情報で示される前後方向の位置より前方となる値（例えば、「最前部の位置」を示す値）に設定する深さ設定条件を示す深さ指示情報を出力する。この場合、ＤＳＰ４０は、深さ指示情報に基づいて、第３の画像情報を構成するドット情報の深さ情報を「最前部の位置」を示す値に設定する。
前記指示した第２の画像を前記指示した第１の画像の後方側に配置する場合には、第３の画像情報を構成する各ドット情報の深さ情報で示される前後方向の位置が、第１の画像に対応する第１の画像情報を構成する各ドット情報の深さ情報で示される前後方向の位置より後方となる値（例えば、「最後部の位置」を示す値）に設定する深さ設定条件を示す深さ指示情報を出力する。この場合、ＤＳＰ４０は、深さ指示情報に基づいて、第３の画像情報を構成するドット情報の深さ情報を「最後部の位置」を示す値に設定する。
なお、第２の画像の一部を第１の画像の前方側に配置し、残部を第１の画像の後方側に配置する場合には、例えば、第２の画像の一部に含まれているドット（ＲＧＢ信号が設定したＲＧＢ信号と一致している、あるいは、設定された位置や領域に配置されている、あるいは、伸張情報に基づいて判別した深さ情報が設定した深さ情報と一致している等のドット選択条件を満足するドット）の深さ情報を、第１の画像に対応する第１の画像情報を構成する各ドット情報の深さ情報で示される前後方向の位置より前方となる値（例えば、「最前部の位置」を示す値）に設定し、それ以外のドットの深さ情報を、第１の画像に対応する第１の画像情報を構成する各ドット情報の深さ情報で示される前後方向の位置より後方となる値（例えば、「最後部の位置」を示す値）に設定する深さ設定条件を示す深さ指示情報を出力する。この場合、ＤＳＰ４０は、深さ指示情報に基づいて、第３の画像情報を構成するドット情報のうち、ドット選択条件を満足するドットの深さ情報を「最前部の位置」を示す値に設定し、ドット選択条件を満足しないドットの深さ情報を「最後部の位置」を示す値に設定する。
【００１８】
また、前記指示した第２の画像を前記指示した第１の画像の前方側に配置する場合には、第２の画像に対応する第３の画像情報を構成する各ドット情報の透明度情報を、第１の画像と第２の画像の重ね合わせ態様に応じて設定する。
例えば、第３の画像情報を構成する各ドット情報の透明度情報を「完全不透明状態」を示す値、「完全透明状態」を示す値、「完全不透明状態」を示す値〜「完全透明状態」を示す値の範囲内の任意の値に設定する透明度設定条件を示す透明度指示情報を出力する。
この場合、ＤＳＰ４０は、透明度指示情報に基づいて、第３の画像情報を構成する各ドット情報を、「完全不透明状態」を示す値、「完全透明状態」を示す値、「完全不透明状態」を示す値〜「完全透明状態」を示す値の範囲内の任意の値に設定する。
また、第２の画像の一部を「完全不透明状態」に、残部を「完全透明状態」に設定する場合には、例えば、第２の画像の一部に含まれているドット（ＲＧＢ信号が設定したＲＧＢ信号と一致している、あるいは、設定された位置や領域に配置されている、あるいは、伸張情報に基づいて判別した透明度情報や深さ情報が設定した透明度情報や深さ情報と一致している等のドット選択条件を満足するドット）の透明度情報を、「完全不透明状態」を示す値に設定し、それ以外のドットの透明度情報を、「完全透明状態」を示す値に設定する透明度設定条件を含む透明度指示情報を出力する。この場合、ＤＳＰ４０は、透明度指示情報に基づいて、第３の画像情報を構成するドット情報のうち、ドット選択条件を満足するドットの透明度情報を「完全不透明状態」を示す値に設定し、ドット選択条件を満足しないドットの透明度情報を「完全透明状態」を示す値に設定する。
【００１９】
ＶＤＰ３０は、表示制御回路２２から出力された第１の表示制御信号に含まれている第１画像指示情報で指示される第１の画像情報をＲＯＭ３１から読み出すとともに、読出領域指示情報で指示されるＲＡＭ４３の記憶領域（Ａバンク４３ａあるいはＢバンク４３ｂ）に書き込まれている（記憶されている）第３の画像情報を読み出す。
そして、読み出した第１の画像情報と第３の画像情報を用いて、第１の画像情報に対応する第１の画像と第３の画像情報に対応する第２の画像を重ね合わせた画像を表示する表示画面の各ドットのＲＧＢ信号を画面情報として出力する。
第１の画像と第２の画像を重ね合わせた画像を表示する表示画面の各ドットのＲＧＢ信号は、ＲＯＭ３１から読み出した第１の画像に対応する第１の画像情報及びＲＡＭ４３から読み出した第２の画像に対応する第３の画像情報を構成する各ドット情報（ＲＧＢ信号、透明度情報、深さ情報）、第１の表示制御信号に含まれている第１画像サイズ情報、第１画像位置情報、第２画像サイズ情報、第２画像位置情報等に基づいて決定される。
【００２０】
本実施の形態では、ＶＤＰ３０は、読出手段３０ａ、重ね合わせ手段３０ｂ、出力手段３０ｃ、フレームバッファ３０ｄを有している。各手段は、ソフトウェアで構成することもできるし、ハードウェアで構成することもできる。フレームバッファ３０ｄとしては、ＶＤＰ３０に内蔵されているＲＡＭが用いられるが、外部のＲＡＭ、例えば、ＲＡＭ４３を用いることもできる。
読出手段３０ａは、表示制御回路２２から出力された第１の表示制御信号に含まれている第１画像指示情報で指示される第１の画像情報をＲＯＭ３１から読み出し、また、読出領域指示情報で指示されるＲＡＭ４３の記憶領域に書き込まれている第３の画像情報を読み出す。
重ね合わせ手段３０ｂは、読出手段３０ａで読み出した第１の画像情報と第３の画像情報を用い、第１の画像情報に対応する第１の画像と第３の画像情報に対応する第２の画像を重ね合わせた画像を表示する表示画面の各ドットのＲＧＢ信号を決定し、フレームバッファ３０ｄに書き込む（記憶させる）。
例えば、第１の表示制御信号に含まれている第１画像サイズ情報や第１画像位置情報、第２画像サイズ情報や第２画像位置情報等に基づいて、第１の画像及び第２の画像の各ドットの表示画面上の位置を判別する。
そして、表示画面上の同じドット位置に配置される第１の画像情報のドット情報に含まれている深さ情報と第３の画像情報のドット情報に含まれている深さ情報を比較することによって、当該ドット位置での第１の画像と第２の画像の前後方向の位置関係を判別する。すなわち、いずれの画像が表示装置５０の前方側（遊技者側）に配置されるかを判別する。
次に、表示画面のドット位置の、前方側に配置される画像のドット情報に含まれているＲＧＢ信号及び透明度情報と、後方側に配置される画像のドット情報に含まれているＲＧＢ信号（必要があれば、透明度情報も）に基づいて、表示画面の当該ドットのＲＧＢ信号を決定する。例えば、前方側に配置される画像のドット情報に含まれている透明度情報が「完全透明状態」を示す値に設定されている場合には、後方側に配置される画像のドット情報に含まれているＲＧＢ信号を当該ドットのＲＧＢ信号とすることを決定する。また、前方側に配置される画像のドット情報に含まれている透明度情報が「完全不透明状態」を示している場合には、前方側に配置される画像のドット情報に含まれているＲＧＢ信号を当該ドットのＲＧＢ信号とすることを決定する。また、前方側に配置される画像のドット情報に含まれている透明度情報が「完全透明状態」を示す値〜「完全不透明状態」を示す値の範囲内である場合には、前方側に配置される画像のドット情報に含まれているＲＧＢ信号と後方側に配置される画像のドット情報に含まれているＲＧＢ信号を、透明度情報に対応する比率で混合したＲＧＢ信号を当該ドットのＲＧＢ信号とすることを決定する。
出力手段３０ｃは、重ね合わせ手段３０ｂによってフレームバッファ３０ｄに書き込まれた、表示画面の各ドットのＲＧＢ信号（画面情報）を出力回路２５を介して液晶表示装置５０に出力する。
【００２１】
本実施の形態では、表示制御装置２０が本発明の「遊技機用表示制御装置」に対応し、表示制御回路２２が本発明の「表示制御回路」に対応し、ＶＤＰ３０が本発明の「画面情報処理回路」に対応し、ＤＳＰ４０が本発明の「画像情報処理回路」に対応し、ＲＯＭ３１及びＲＯＭ３１に記憶されている画像情報が本発明の「第１の記憶回路」及び「第１の形式の第１の画像情報」に対応し、ＲＯＭ４１及びＲＯＭ４１に記憶されている画像情報が本発明の「第２の記憶回路」及び「２の形式の第２の画像情報」に対応し、ＲＡＭ４３及びＲＡＭ４３に記憶されている画像情報が本発明の「第３の記憶回路」及び「第１の形式の第３の画像情報」に対応する。
【００２２】
次に、本実施の形態の動作を具体的に説明する。
なお、以下では、ドット情報を示す数字（１）〜（７）は、ドット情報のＲＧＢ信号が異なっていること、すなわち、ドットの色が異なっていることを表すために便宜的に用いた数字である。
ＲＯＭ４１には、第１の画像に対応する第１の形式の第１の画像情報として、図２に示す第１の画像の各ドットのドット情報により構成される画像情報が記憶されているものとする。１つの第１の画像は、図２に示すように、背景を示す背景画像ａ１と、図柄「７」を示す図柄画像ａ２を有しているものとする。
図２に示す第１の画像の各ドットのドット情報に含まれているＲＧＢ信号の１例を図３に示す。図３では、第１の画像の各ドット（ピクセルあるいは画素）は、列ａ１〜ａ２４と行ｂ１〜ｂ２０により特定される。図３には、第1の画像の背景画像ａ１に対応するドットのドット情報には、背景画像ａ１の色を示すＲＧＢ信号（１）が含まれ、図柄画像ａ２に対応するドットのドット情報には、図柄画像ａ２の色を示すＲＧＢ信号（２）が含まれていることが示されている。
第１の画像の各ドットのドット情報には、ＲＧＢ信号（１）、（２）だけでなく、深さ情報（Ｚ値）及び透明度情報（α値）も含まれている。
【００２３】
ＲＯＭ４１には、図４に示すような動画の画面を第２の画像とし、第２の画像に対応する第２の形式の第２の画像情報として、第２の画像の各ドットのドット情報を所定の圧縮方式（例えば、ＭＰＥＧ４）で圧縮した圧縮情報により構成される画像情報が記憶されているものとする。図４に示す第２の画像は、海の画像ｂ１、ヨットの画像ｂ２、島の画像ｂ３、空の画像ｂ４、雲の画像ｂ５を有している。
図４に示す第２の画像の各ドットのドット情報に含まれているＲＧＢ信号の１例を図５に示す。図５では、海の画像ｂ１の各ドットのドット情報にはＲＧＢ信号（５）、ヨットの画像ｂ２の各ドットのドット情報にはＲＧＢ信号（７）、島の画像ｂ３の各ドットのドット情報にはＲＧＢ信号（６）、空の画像ｂ５の各ドットのドット情報にはＲＧＢ信号（３）、雲の画像ｂ５の各ドットのドット情報にはＲＧＢ信号（４）が含まれていることが示されている。
第２の画像の各ドットのドット情報には、ＲＧＢ信号（３）〜（７）だけでなく、深さ情報（Ｚ値）及び透明度情報（α値）も含まれている。
なお、本実施の形態では、ＤＳＰ４０が第３の画像情報を作成する時に、第３の画像情報を構成する各ドット情報の深さ情報や透明度情報を設定することができる。このため、第２の画像の各ドットのドット情報には、ＲＧＢ信号が含まれていればよく、深さ情報や透明度情報は省略することもできる。
【００２４】
本実施の形態では、ＤＳＰ４０は、第２の表示制御信号に基づいて、ＲＯＭ２１から第２の画像に対応する第２の画像情報を読み出し、読み出した第２の画像情報を伸張する。そして、伸張した伸張情報に基づいて、第２の画像の各ドットのＲＧＢ信号、透明度情報（α値）、深さ情報（Ｚ値）を含むドット情報により構成される、第１の形式の第３の画像情報を作成し、ＲＡＭ４３の記憶領域（Ａバンク４３ａあるいはＢバンク４３ｂ）に書き込む。この時、当該第２の画像と、当該第２の画像と重ね合わされる第１の画像との重ね合わせ態様に応じて、第３の画像情報の透明度情報や深さ情報が設定される。
また、ＶＤＰ３０は、第１の表示制御信号に基づいて、ＲＯＭ３１から第１の画像情報を読み出すとともに、ＲＡＭ４３の記憶領域（Ａバンク４３ａあるいはＢバンク４３ｂ）から第３の画像情報を読み出す。そして、読み出した第１の画像情報及び第３の画像情報の各ドット情報（ＲＧＢ信号、透明度情報、深さ情報）に基づいて、第１の画像と第２の画像を重ね合わせた画像を表示する表示画面の各ドットのＲＧＢ信号をフレームバッファ３０ｄに書き込む。
第１の画像情報に対応する第１の画像と、第３の画像情報に対応する第２の画像を重ね合わせる態様としては、例えば、第１の画像を第２の画像の前方側に配置して重ね合わせる態様や、第１の画像を第２の画像の後方側に配置して重ね合わせる態様を用いることができる。
【００２５】
まず、第１の画像を第２の画像の前方側に配置して重ね合わせる態様について説明する。図２に示す第１の画像を、図４に示す第２の画像の前方側に配置して重ね合わせる態様としては、例えば、以下の第１の態様〜第３の態様を用いることができる。
ここで、第１の画像に対応する第１の画像情報を構成する各ドット情報に含まれている深さ情報として、「最後部の位置」を示す値［１］〜「最前部の位置」を示す値［７］のうちの［２］以上の値（最後部以外の位置）が設定され、透明度情報として、「完全透明状態」を示す値［１］〜「完全不透明状態」のうちの［７］（完全不透明状態）が設定されているものとする。
第１の態様は、図６に示すように、第１画像の背景画像ａ１及び図柄画像ａ２を、第２の画像の前方側に表示する態様である。
本態様では、表示制御回路２２は、第３の画像情報を構成する各ドットの情報の深さ情報を、第１の画像情報を構成する各ドット情報の深さ情報より小さい値（後方側の位置を示す深さ情報）に設定することを指示する深さ指示情報を出力する。例えば、第２の画像の海の画像ｂ１のＲＧＢ信号（５）と深さ情報［１］（最後部の位置）のセット、ヨットの画像ｂ２のＲＧＢ信号（７）と深さ情報［１］のセット、島の画像ｂ３のＲＧＢ信号（６）と深さ情報［１］のセット、空の画像ｂ４のＲＧＢ信号（３）と深さ情報［１］のセット、雲の画像ｂ５のＲＧＢ信号（４）と深さ情報［１］のセットを示す深さ設定条件を含む深さ指示情報をＤＳＰ４０に出力する。勿論、第３の画像情報を構成する各ドットの情報の深さ情報全てを［１］に設定することを指示する深さ指示情報を出力してもよい。
また、表示制御回路２２は、第３の画像情報を構成する各ドット情報の透明度情報を「完全不透明状態」を示す値［７］に設定することを指示する透明度指示情報をＤＳＰ４０に出力する。例えば、海の画像ｂ１のＲＧＢ信号（５）と透明度情報［７］（完全不透明状態）のセット、ヨットの画像ｂ２のＲＧＢ信号（７）と透明度情報［７］のセット、島の画像ｂ３のＲＧＢ信号（６）と透明度情報［７］のセット、空の画像ｂ４のＲＧＢ信号（３）と透明度情報［７］のセット、雲の画像ｂ５のＲＧＢ信号（４）と透明度情報［７］のセットを示す透明度設定条件を含む透明度指示情報をＤＳＰ４０に出力する。
これにより、ＤＳＰ４０は、第１の表示制御信号に含まれている深さ指示情報及び透明度指示情報に基づいて、ＲＧＢ信号がＲＧＢ信号（３）〜ＲＧＢ信号（７）に一致する、第３の画像情報のドット（画像ｂ１〜ｂ５に対応するドット）に対応するドット情報の深さ情報を［１］に、透明度情報を［７］に設定する。
【００２６】
ＶＤＰ３０は、第１の表示制御信号に基づいて、第１の画像情報をＲＯＭ３１から読み出すとともに、第３の画像情報をＲＡＭ４３の記憶領域から読み出す。そして、第１の画像情報に対応する第１の画像の各ドット及び第３の画像情報に対応する第２の画像の各ドットの表示画面上の位置を判別する。
次に、ＶＤＰ３０は、表示画面上の同じ位置に配置される、第１の画像のドットのドット情報と第２の画像のドットのドット情報に基づいて、当該位置のＲＧＢ信号を決定し、フレームバッファの対応する位置に書き込む。
この場合、第１の画像の背景画像ａ１の各ドットの画像情報として、ＲＧＢ信号（１）、深さ情報［７］及び透明度情報［７］が設定されているため、背景画像ａ１の各ドットが配置される位置では、背景画像ａ１の各ドットが第２の画像の各ドットより前側に配置されるとともに、背景画像ａ１のドットは完全不透明状態であることを判別する。したがって、図７に示すように、フレームバッファの、背景画像ａ１の各ドットが配置される位置には、背景画像ａ１のＲＧＢ信号（１）が書き込まれる。
また、第１の画像の図柄画像ａ２の各ドットの画像情報として、ＲＧＢ信号（２）、深さ情報［７］及び透明度情報［７］が設定されている。このため、図７に示すように、背景画像ａ１と同様に、フレームバッファの、図柄画像ａ２の各ドットが配置される位置には、図柄画像ａ２のＲＧＢ信号（２）が書き込まれる。
なお、背景画像ａ１及び図柄画像ａ２の各ドットが配置されない位置には、第２の画像の各ドットのＲＧＢ信号が書き込まれる。
フレームバッファの各位置に、図７に示すようにＲＧＢ信号（１）〜（７）が書き込まれると、第１の画像（背景画像ａ１及び図柄画像ａ２）の後側に配置されている第２の画像は見えない。すなわち、背景画像ａ１及び図柄画像ａ２が、第２の画像の前側に表示されているように見える。
【００２７】
第２の態様は、図８に示すように、第１の画像の一部、例えば、図柄画像ａ２のみを第２の画像の前側に表示する態様である。
ここで、第１の画像に対応する第１の画像情報を構成する各ドット情報に含まれている深さ情報として、［２］以上の値（最後部以外の位置）が設定され、背景画像ａ１に対応するドットの透明度情報として［１］（完全透明状態）が、図柄画像ａ２に対応するドットの透明度情報として［７］（完全不透明状態）が設定されているものとする。
本態様では、表示制御回路２２は、第１の態様と同様に、第３の画像情報を構成する各ドット情報の深さ情報を、第１の画像情報を構成する各ドット情報の深さ情報より小さい値（例えば、最後部の位置を示す深さ情報［１］）に設定することを指示する深さ指示情報を出力する。
また、表示制御回路２２は、第１の態様と同様に、第３の画像情報を構成する各ドット情報の透明度情報を「完全不透明状態」を示す値［７］に設定することを指示する透明度指示情報をＤＳＰ４０に出力する。
これにより、ＤＳＰ４０は、第１の表示制御信号に含まれている深さ指示情報及び透明度指示情報に基づいて、ＲＧＢ信号がＲＧＢ信号（３）〜ＲＧＢ信号（７）に一致する、第３の画像情報のドット（画像ｂ１〜ｂ５に対応するドット）に対応するドット情報の深さ情報を［１］に、透明度情報を［７］に設定する。
【００２８】
ＶＤＰ３０は、第１の表示制御信号に基づいて、第１の画像情報をＲＯＭ３１から読み出すとともに、第３の画像情報をＲＡＭ４３の記憶領域から読み出す。そして、表示画面上の同じ位置に配置される、第１の画像のドットのドット情報と第２の画像のドットのドット情報に基づいて、当該位置のＲＧＢ信号を決定し、フレームバッファの対応する位置に書き込む。
この場合、第１の画像の背景画像ａ１の各ドットの画像情報として、ＲＧＢ信号（１）、深さ情報［７］及び透明度情報［１］が設定されているため、背景画像ａ１の各ドットが配置される位置では、背景画像ａ１の各ドットが第２の画像の各ドットより前側に配置されるが、背景画像ａ１のドットは完全透明状態であることを判別する。したがって、図９に示すように、フレームバッファの、背景画像ａ１の各ドットが配置される位置には、背景画像ａ１の後側に配置されている第２の画像のドットのＲＧＢ信号（図９では、ＲＧＢ信号（３）〜（５））が書き込まれる。
また、第１の画像の図柄画像ａ２の各ドットの画像情報として、ＲＧＢ信号（２）、深さ情報［７］及び透明度情報［７］が設定されている。このため、図９に示すように、フレームバッファの、図柄画像ａ２の各ドットが配置される位置には、図柄画像ａ２のＲＧＢ信号（２）が書き込まれる。
なお、背景画像ａ１及び図柄画像ａ２の各ドットが配置されない位置には、第２の画像の各ドットのＲＧＢ信号が書き込まれる。
フレームバッファの各位置に、図９に示すようにＲＧＢ信号（２）〜（７）が書き込まれると、第１の表示画面に表示される背景図柄ａ１の後側に配置されている第２の画像は見えるが、図柄画像ａ２の後側に配置されている第２の画像は見えない。すなわち、図柄画像ａ２のみが、第２の画像の前側に表示されているように見える。
【００２９】
第２の態様では、図柄画像ａ２のみを第２の画像の前側に表示させたが、背景画像ａ１のみを第２の画像の前側に表示させることもできる。
第３の態様は、図１０に示すように、第１の画像の一部、例えば、背景画像ａ１のみを第２の画像の前側に表示する態様である。
ここで、第１の画像に対応する第１の画像情報を構成する各ドット情報に含まれている深さ情報として、［２］以上の値（最後部以外の位置）が設定され、背景画像ａ１に対応するドットの透明度情報として［７］（完全不透明状態）が、図柄画像ａ２に対応するドットの透明度情報として［１］（完全透明状態）が設定されているものとする。
本態様では、表示制御回路２２は、第１の態様と同様に、第３の画像情報を構成する各ドット情報の深さ情報を、第１の画像情報を構成する各ドット情報の深さ情報より小さい値（例えば、最後部の位置を示す深さ情報［１］）に設定することを指示する深さ指示情報を出力する。
また、表示制御回路２２は、第１の態様と同様に、第３の画像情報を構成する各ドット情報の透明度情報を「完全不透明状態」を示す値［７］に設定することを指示する透明度指示情報をＤＳＰ４０に出力する。
これにより、ＤＳＰ４０は、第１の表示制御信号に含まれている深さ指示情報及び透明度指示情報に基づいて、ＲＧＢ信号がＲＧＢ信号（３）〜ＲＧＢ信号（７）に一致する、第３の画像情報のドット（画像ｂ１〜ｂ５に対応するドット）に対応するドット情報の深さ情報を［１］に、透明度情報を［７］に設定する。
【００３０】
ＶＤＰ３０は、第１の表示制御信号に基づいて、第１の画像情報をＲＯＭ３１から読み出すとともに、第３の画像情報をＲＡＭ４３の記憶領域から読み出す。そして、表示画面上の同じ位置に配置される、第１の画像のドットのドット情報と第２の画像のドットのドット情報に基づいて、当該位置のＲＧＢ信号を決定し、フレームバッファの対応する位置に書き込む。
この場合、第１の画像の背景画像ａ１の各ドットの画像情報として、ＲＧＢ信号（１）、深さ情報［７］及び透明度情報［７］が設定されているため、背景画像ａ１の各ドットが配置される位置では、背景画像ａ１の各ドットが第２の画像の各ドットより前側に配置され、背景画像ａ１のドットは完全不透明状態であることを判別する。したがって、図１１に示すように、フレームバッファの、背景画像ａ１の各ドットが配置される位置には、背景画像ａ１の各ドットのＲＧＢ信号（１）が書き込まれる。
また、第１の画像の図柄画像ａ２の各ドットの画像情報として、ＲＧＢ信号（２）、深さ情報［７］及び透明度情報［１］が設定されている。このため、図１１に示すように、フレームバッファの、図柄画像ａ２の各ドットが配置される位置には、図柄画像ａ２の後側に配置されている第２の画像のＲＧＢ信号（図１では、ＲＧＢ信号（３）、（４））が書き込まれる。
なお、背景画像ａ１及び図柄画像ａ２の各ドットが配置されない位置には、第２の画像の各ドットのＲＧＢ信号が書き込まれる。
フレームバッファの各位置に、図１１に示すようにＲＧＢ信号（１）、（３）〜（７）が書き込まれると、第１の表示画面に表示される背景図柄ａ１の後側に配置されている第２の画像は見えないが、図柄画像ａ２の後側に配置されている第２の画像は見える。すなわち、図柄画像ａ１のみが、第２の画像の前側に表示されているように見える。
【００３１】
次に、第２の画像を第１の画像の前側に配置して重ね合わせる態様について説明する。
以下では、図２に示す第１の画像と図４に示す第２の画像を用い、図１２に示すように、第２の画像の一部、例えば、ヨットの画像ｂ２のみを、第１の画像（背景画像ａ１及び図柄画像ａ２）の前側に表示する場合について説明する。
ここで、第１の画像に対応する第１の画像情報を構成する各ドット情報に含まれている深さ情報として、［６］以下の値（最前部以外の位置）が設定され、背景画像ａ１及び図柄画像ａ２に対応するドットの透明度情報として［７］（完全不透明状態）が設定されているものとする。
【００３２】
本態様では、表示制御回路２２は、第３の画像情報を構成する各ドットの情報の深さ情報を、第１の画像情報を構成する各ドット情報の深さ情報より大きい値（前方側の位置を示す深さ情報）に設定することを指示する深さ指示情報を出力する。例えば、第２の画像の海の画像ｂ１のＲＧＢ信号（５）と深さ情報［７］（最前部の位置）のセット、ヨットの画像ｂ２のＲＧＢ信号（７）と深さ情報［７］のセット、島の画像ｂ３のＲＧＢ信号（６）と深さ情報［７］のセット、空の画像ｂ４のＲＧＢ信号（３）と深さ情報［７］のセット、雲の画像ｂ５のＲＧＢ信号（４）と深さ情報［７］のセットを示す深さ設定条件を含む深さ指示情報をＤＳＰ４０に出力する。勿論、第３の画像情報を構成する各ドットの情報の深さ情報全てを［７］に設定することを指示する深さ指示情報を出力してもよい。
また、表示制御回路２２は、第３の画像情報を構成する各ドット情報のうち、ヨットの画像ｂ２に対応するドット情報の透明度情報を「完全不透明状態」を示す値［７］に設定し、それ以外の画像に対応するドット情報の透明度情報を「完全透明状態」を示す［１］に設定することを指示する透明度指示情報をＤＳＰ４０に出力する。例えば、海の画像ｂ１のＲＧＢ信号（５）と透明度情報［１］（完全透明状態）のセット、ヨットの画像ｂ２のＲＧＢ信号（７）と透明度情報［７］（完全不透明状態）のセット、島の画像ｂ３のＲＧＢ信号（６）と透明度情報［１］のセット、空の画像ｂ４のＲＧＢ信号（３）と透明度情報［１］のセット、雲の画像ｂ５のＲＧＢ信号（４）と透明度情報［１］のセットを示す透明度設定条件を含む透明度指示情報をＤＳＰ４０に出力する。
これにより、ＤＳＰ４０は、第１の表示制御信号に含まれている深さ指示情報及び透明度指示情報に基づいて、ＲＧＢ信号がＲＧＢ信号（７）に一致する、第３の画像情報のドット（画像ｂ２に対応するドット）に対応するドット情報の深さ情報を［７］に、ＲＧＢ信号がＲＧＢ信号（３）〜（６）に一致する、第３の画像情報のドット（画像ｂ１、ｂ３〜ｂ５に対応するドット）に対応するドット情報の深さ情報を［１］に設定する。
【００３３】
ＶＤＰ３０は、第１の表示制御信号に基づいて、第１の画像情報をＲＯＭ３１から読み出すとともに、第３の画像情報をＲＡＭ４３の記憶領域から読み出す。そして、第１の画像情報に対応する第１の画像の各ドット及び第３の画像情報に対応する第２の画像の各ドットの表示画面上の位置を判別する。
次に、ＶＤＰ３０は、表示画面上の同じ位置に配置される、第１の画像のドットのドット情報と第２の画像のドットのドット情報に基づいて、当該位置のＲＧＢ信号を決定し、フレームバッファの対応する位置に書き込む。
この場合、第３の画像のヨットの画像ｂ２の各ドットの画像情報として、ＲＧＢ信号（７）、深さ情報［７］及び透明度情報［７］が設定されているため、ヨットの画像ｂ２の各ドットが配置される位置では、ヨットの画像ｂ２の各ドットが第１の画像の各ドットより前側に配置されるとともに、ヨットの画像ｂ２のドットは完全不透明状態であることを判別する。したがって、図１３に示すように、フレームバッファの、ヨットの画像ｂ２の各ドットが配置される位置には、ヨットの画像ｂ２のＲＧＢ信号（７）が書き込まれる。
また、第３の画像のヨットの画像ｂ２以外の画像ｂ１、ｂ３〜ｂ５の各ドットの画像情報として、ＲＧＢ信号（３）〜（６）、深さ情報［７］及び透明度情報［１］が設定されているため、画像ｂ１、ｂ３〜ｂ５の各ドットが配置される位置では、画像ｂ１、ｂ２〜ｂ５の各ドットが第１の画像の各ドットより前側に配置されるが、画像ｂ１、ｂ３〜ｂ５のドットは完全透明状態であることを判別する。したがって、図１３に示すように、フレームバッファの、画像ｂ１、ｂ３〜ｂ５の各ドットが配置される位置では、後側に配置される第１の画像の各ドットのＲＧＢ信号（図１２では、ＲＧＢ信号（１）、（２））が書き込まれる。
【００３４】
なお、以上では、第２の画像のヨットの画像ｂ２のみを表示させたが、第２の画像の他の画像を表示させてもよいし、第２の画像の全ての画像を表示させてもよい。前側に表示する画像を指示する方法は、ヨットの画像を指示する方法と同様の方法を用いることができる。
また、表示画面の各ドットの色は、前側に配置される画像の各ドットの透明度情報を設定あるいは変更することによって選択することができる。
また、第２の画像の各ドットの中から所定のドットを選択するためのドット選択条件としては、ＲＧＢ信号が設定されたＲＧＢ信号と一致しているという条件に限定されず、伸張情報に基づいて判別した深さ情報が設定された深さ情報と一致しているという条件、抽出情報に基づいて判別した透明度情報が設定された透明度情報と一致しているという条件、表示画面上での配置位置が設定された位置あるいは領域内であるという条件等の種々の条件を用いることができる。
また、第３の画像情報を構成するドット情報の深さ情報や透明度情報を設定することによって重ね合わせ態様を設定したが、第１の画像情報を構成するドット情報の透明度情報や深さ情報を変更することによって重ね合わせ態様を設定してもよい。この場合には、第１の表示制御信号に透明度指示情報や深さ指示情報を含ませる。
また、第２の画像の中の所定の画像（例えば、キャラクタ）に対応するマスク画像を用意し、マスク画像でマスクされた領域のドットとマスク画像でマスクされていない領域のドットを区別して検索する方法を用いることもできる。例えば、図４に示す第２の画像の中のヨットの画像ｂ２をマスクするマスク画像を用意することにより、ヨットの画像ｂ２の各ドットを検索することができる。
【００３５】
以上のように、本実施の形態は、遊技機用表示制御装置を、第１の画像に対応する第１の形式の画像情報を記憶している第１の記憶回路と第１の形式の画像情報を処理可能な画面情報処理回路、第２の画像に対応する第２の形式の画像情報を記憶している第２の記憶回路、第２の形式の画像情報を第１の形式の画像情報に変換する画像情報処理回路と第１の形式の第３の画像情報を記憶可能な第３の記憶回路により構成している。これにより、第１の形式の画像情報に対応する第１の画像のみを表示画面に表示する画面表示仕様に対しては、画面情報処理回路と第１の記憶回路のみを用い、第１の形式の画像情報に対応する第１の画像と第２の形式の画像情報に対応する第２の画像を重ね合わせた画像を表示画面に表示可能な画面表示仕様に対しては、画面情報処理回路と第１の記憶回路に、画像情報処理回路と第２及び第３の記憶回路を追加することにより対応することができる。
したがって、異なる画面表示仕様に対して安価に、容易に対応することができる。また、第１の画像と第２の画像を重ね合わせる方法として、第２の画像情報を第３の画像情報に変換する時に第３の画像情報を構成するドット情報の深さ情報や透明度情報を設定する方法を用いることにより、第１の画像と第２の画像を簡単に、種々の重ね合わせ態様で重ね合わせることができる。
【００３６】
以上では、第１の画像の各ドットのＲＧＢ信号、透明度情報及び深さ情報を含む第１の形式の第１の画像情報を記憶しているＲＯＭ３１（第１の記憶回路）と、第２の画像の各ドットのＲＧＢ信号、透明度情報及び深さ情報を圧縮した圧縮情報により構成される第２の形式の第２の画像情報を記憶しているＲＯＭ４１（第２の記憶回路）を用い、ＲＡＭ４３（第３の記憶回路）に、第２の画像の各ドットのＲＧＢ信号、透明度情報及び深さ情報を含む第１の形式の第３の画像情報を記憶させたが、ＲＯＭ３１に記憶される第１の画像情報、ＲＯＭ４１に記憶される第２の画像情報、ＲＡＭ４３に記憶させる第３の画像情報としては、少なくとも画像の各ドットのＲＧＢ信号を判別可能な画像情報であればよい。
【００３７】
例えば、第１の画像情報として、第１の画像の各ドットのＲＧＢ信号及び透明度情報を含む第１の形式の画像情報を用い、第２の画像情報として、第２の画像の各ドットのＲＧＢ信号及び透明度情報を圧縮した圧縮情報を含む第２の形式の画像情報を用い、第３の画像情報として、第２の画像の各ドットのＲＧＢ信号及び透明度情報を含む第１の形式の画像情報を用いることができる。
この場合、表示制御回路２２は、第１の画像情報に対応する第１の画像と第３の画像情報に対応する第２の画像の表示画面に対する前後方向の位置関係（第１の画像と第２の画像のいずれを前方側に配置するか）を指示する前後方向位置指示情報を含む第１の表示制御信号をＶＤＰ３０に出力する。また、ＤＳＰ３０に出力する第２の表示制御信号の深さ指示情報は省略される。
ＤＳＰ４０は、第２の表示制御信号に基づいて、ＲＯＭ４１から第２の画像情報を読み出し、読み出した第２の画像情報を伸張する。そして、伸張した伸張情報に基づいて、第２の画像の各ドットのＲＧＢ信号を判別する。また、伸張した伸張情報に基づいて第２の画像の各ドットの透明度情報を判別し、あるいは、第２の表示制御信号に含まれている透明度指示情報に基づいて、第２の画像の各ドットの透明度情報を設定する。次に、ＤＳＰ３０は、判別した、第２の画像の各ドットのＲＧＢ信号と、判別あるいは設定した、第２の画像の各ドットの透明度情報を含む第１の形式の第３の画像情報を作成し、ＲＡＭ４３に記憶させる。
ＶＤＰ３０は、第１の表示制御信号に基づいて、ＲＯＭ３１から第１の画像情報を読み出すとともに、ＲＡＭ４３から第３の画像情報を読み出す。また、ＶＤＰ３０は、第１の表示制御信号に含まれている前後方向位置指示情報に基づいて、第１の画像情報に対応する第１の画像と第３の画像情報に対応する第２の画像のうち、いずれを前方側に配置するかを決定する。そして、ＶＤＰ３０は、表示画面の各ドットのＲＧＢ信号を、同じドット位置の、前方側に配置される画像のＲＧＢ信号及び透明度情報と後方側に配置される画像のＲＧＢ信号に基づいて、前述した方法で決定する。
【００３８】
ここで、ＲＯＭ４１に記憶する第２の画像情報としては、第２の画像の各ドットのＲＧＢ信号及び透明度情報を含む情報を圧縮した圧縮情報を含む画像情報を用いることもできるし、第２の画像の各ドットのＲＧＢ信号を圧縮したＲＧＢ信号圧縮情報と第２の画像の各ドットの透明度情報を圧縮した透明度情報圧縮情報を含む画像情報を用いることもできる。さらに、透明度情報圧縮情報としては、第２の画像の各ドットの透明度を白黒で表した透明度情報を圧縮した圧縮情報を用いることができる。
第２の画像の各ドットの透明度を白黒で表す方法としては、例えば、「白色」の透明度情報により［完全透明状態］を表し、「黒色」の透明度情報により［完全不透明状態］を表し、「白色」と「黒色」を所定の混合比で混合した「灰色」により、［完全透明状態］〜［完全不透明状態］の範囲内の、混合比に応じた透明度状態を表す方法を用いることができる。
この場合、ＤＳＰ４０は、第２の表示制御信号に基づいて、第２の画像に対応するＲＧＢ信号圧縮情報と透明度情報圧縮情報をＲＯＭ４１から読み出す。そして、読み出したＲＧＢ信号圧縮情報を伸張し、伸張した伸張情報に基づいて、第２の画像の各ドットのＲＧＢ信号を判別する。また、読み出した透明度情報圧縮情報を伸張し、伸張した伸張情報に基づいて、第２の画像の各ドットの透明度情報を判別する。次に、ＤＳＰ４０は、第２の画像の各ドットのＲＧＢ信号と透明度情報を含む第１の形式の第３の画像情報を作成し、ＲＡＭ４３に書き込む（記憶させる）。
第３の画像情報に含ませる、第２の画像の各ドットの透明度情報としては、前述したように、ＤＳＰ４０が、第２の表示制御信号に含まれている透明度指示情報に基づいて設定した透明度情報を用いることもできる。
第２の画像情報として、ＲＧＢ信号圧縮情報と透明度情報圧縮情報を含む画像情報を用いることにより、ＤＳＰ４０での、第２の画像の各ドットのＲＧＢ信号と透明度情報を含む第１の形式の第３の画像情報の作成処理が容易となる。また、第２の画像の各ドットの透明度を白黒で表した透明度情報を圧縮した透明度情報圧縮情報を用いることにより、第２の画像の各ドットの透明度情報の判別処理が容易となる。
【００３９】
あるいは、第１の画像情報として、第１の画像の各ドットのＲＧＢ信号を含む第１の形式の画像情報を用い、第２の画像情報として、第２の画像の各ドットのＲＧＢ信号を圧縮した圧縮情報を含む第２の形式の画像情報を用い、第３の画像情報として、第２の画像の各ドットのＲＧＢ信号を含む第１の形式の画像情報を用いることもできる。
この場合、表示制御回路２２は、第１の画像情報に対応する第１の画像と第３の画像情報に対応する第２の画像の表示画面に対する前後方向の位置関係（第１の画像と第２の画像のいずれを前方側に配置するか）を指示する前後方向位置指示情報と、表示画面の各ドットのＲＧＢ信号を決定するための方法を指示するＲＧＢ信号指示情報を含む第１の表示制御信号をＶＤＰ３０に出力する。また、ＤＳＰ３０に出力する第２の表示制御信号の深さ指示情報及び透明度指示情報は省略される。
前後方向位置指示情報としては、ドットを選択するためのドット選択条件と、ドット選択条件を満足するドットの前後方向位置やドット選択条件を満足しないドットの前後方向位置を指示する位置情報を用いることができる。また、ＲＧＢ信号指示情報としては、例えば、前方側に配置する画像のドットを選択するためのドット選択条件と、ドット選択条件を満足するドットの透明度を指示する透明度情報やドット選択条件を満足しないドットの透明度を指示する透明度情報を用いることができる。
ＤＳＰ４０は、第２の表示制御信号に基づいて、ＲＯＭ４１から第２の画像情報を読み出し、読み出した第２の画像情報を伸張する。そして、伸張した伸張情報に基づいて、第２の画像の各ドットのＲＧＢ信号を判別する。次に、ＤＳＰ３０は、判別した、第２の画像の各ドットのＲＧＢ信号を含む第１の形式の第３の画像情報を作成し、ＲＡＭ４３に記憶させる。
ＶＤＰ３０は、第１の表示制御信号に基づいて、ＲＯＭ３１から第１の画像情報を読み出すとともに、ＲＡＭ４３から第３の画像情報を読み出す。そして、ＶＤＰ３０は、第１の表示制御信号に含まれている前後方向位置指示情報に基づいて、表示画面の各ドットの第１の画像と第２の画像の前後関係を判別する（いずれを前方側に配置するかを決定する）。次に、ＶＤＰ３０は、第１の表示制御信号に基づいて、表示画面の各ドットの、前方側に配置される画像の透明度を判別する。さらに、ＶＤＰ３０は、表示画面の各ドットのＲＧＢ信号を、同じドット位置の、前方側に配置される画像のＲＧＢ信号及び透明度と後方側に配置される画像のＲＧＢ信号に基づいて、前述した方法で決定する。
【００４０】
また、液晶表示装置５０の表示画面に、第１の画像と第２の画像を重ね合わせた画像を表示する表示態様について説明したが、第１の画像及び第２の画像の表示画面への表示態様はこれに限定されない。例えば、第１の画像のみを表示画面に表示する表示態様、第２の画像のみを表示画面に表示する表示態様、第１の画像と第２の画像を表示画面の異なる位置に表示する表示態様等を用いることができる。
また、各表示態様を、遊技機の遊技状態に応じて選択することもできる。例えば、抽選結果が当たりであることを示す当たり図柄配列を表示する場合、リーチ状態を表示する場合に、第２の画像あるいは第１の画像と第２の画像を表示画面に表示するように構成することもできる。表示態様は、表示制御回路２２から出力する第１の表示制御信号や第２の表示制御信号によって選択することができる。
【００４１】
本発明は、実施の形態で説明した構成に限定されず、種々の変更、追加、削除が可能である。
例えば、画像ｂ１〜ｂ５が組み込まれた画像に対応する画像情報を第２の画像情報として用いたが、画像ｂ１〜ｂ５に対応する画像情報を個別にＲＯＭ４１に記憶させておき、各画像情報を重ね合わせて第２の画像情報を形成するように構成してもよい。この場合には、例えば、画像ｂ１〜ｂ２の各ドットのドット情報にＲＧＢ信号、透明度情報、深さ情報を含ませておき、前述した方法で重ね合わせ処理を実行する。
また、第２の画像や第１の画像の種類や数は画面表示仕様等に応じて適宜選択することができる。この場合も、例えば、各画像の各ドットの深さ情報や透明度情報を適宜設定することによって、種々の表示態様を設定することができる。
また、本発明は、図１に示した構成に限定されない。
また、第１の形式の第１の画像情報や第２の形式の第２の画像情報としては種々の形式の画像情報を用いることができる。
また、第１の画像と第２の画像の２つの画像を重ね合わせる場合について説明したが、本発明は、３以上の画像を重ね合わせる場合や３つ以上の画像を表示画面に表示する場合にも適用することができる。
また、パチンコ機の表示制御装置として用いた場合について説明したが、本発明の遊技機用表示制御装置は、パチンコ機以外の種々の遊技機の表示制御装置として用いることができる。
【図面の簡単な説明】
【００４２】
【図１】本発明をパチンコ機として構成した一実施の形態の概略構成図である。
【図２】第１の画像の１例を示す図である。
【図３】第１の画像の各ドットのドット情報の１例を示す図である。
【図４】第２の画像の１例を示す図である。
【図５】第２の画像の各ドットのドット情報の１例を示す図である。
【図６】第１の画像と第２の画像を重ね合わせた画像を表示する表示画面の第１の例を示す図である。
【図７】図６に示す表示画面の各ドットのＲＧＢ信号の１例を示す図である。
【図８】第１の画像と第２の画像を重ね合わせた画像を表示する表示画面の第２の例を示す図である。
【図９】図８に示す表示画面の各ドットのＲＧＢ信号の１例を示す図である。
【図１０】第１の画像と第２の画像を重ね合わせた画像を表示する表示画面の第３の例を示す図である。
【図１１】図１０に示す表示画面の各ドットのＲＧＢ信号の１例を示す図である。
【図１２】第１の画像と第２の画像を重ね合わせた画像を表示する表示画面の第４の例を示す図である。
【図１３】図１２に示す表示画面の各ドットのＲＧＢ信号の１例を示す図である。
【符号の説明】
【００４３】
１０  主制御装置
２０  表示制御装置
２１  入力回路
２２  表示制御回路
２３、３１、４１  ＲＯＭ（記憶回路）
２４、４２、４３  ＲＡＭ（記憶回路）
２５  出力回路
３０  ＶＤＰ（画面情報処理回路）
３０ａ  読出手段
３０ｂ  重ね合わせ手段
３０ｃ  出力手段
３０ｄ  フレームバッファ
４０  ＤＳＰ（画像情報処理回路）
４０ａ  読出手段
４０ｂ  デコード手段
４０ｃ  エンコード手段
４０ｄ  書込手段
５０  液晶表示装置（表示装置）
【図１】
2006095160.tif 000003
【図２】
2006095160.tif 000004
【図３】
2006095160.tif 000005
【図４】
2006095160.tif 000006
【図５】
2006095160.tif 000007
【図６】
2006095160.tif 000008
【図７】
2006095160.tif 000009
【図８】
2006095160.tif 000010
【図９】
2006095160.tif 000011
【図１０】
2006095160.tif 000012
【図１１】
2006095160.tif 000013
【図１２】
2006095160.tif 000014
【図１３】
2006095160.tif 000015